(57)【特許請求の範囲】
【請求項１】
駆動用振動腕と、
検出用振動腕と、
両側部から幅方向に沿って延びており、前記両側部からの延出方向に端部を有する２つの凹部と、孔部と、を有し、前記駆動用振動腕と前記検出用振動腕とを支持している支持部と、
前記支持部に設けられている駆動用電極パッドと、
前記支持部に設けられ、前記駆動用電極パッドよりも前記検出用振動腕側に配置されている検出用電極パッドと、を備え、
前記凹部及び前記孔部の少なくとも一部が、前記駆動用電極パッドと前記検出用電極パッドとの間に設けられており、
前記幅方向において、前記凹部の前記端部がそれぞれ前記孔部と部分的に重複していることを特徴とする屈曲振動片。
【請求項２】
前記検出用振動腕が、前記支持部から平行に延出する２本の振動腕からなり、前記駆動用振動腕が、前記支持部から前記検出用振動腕とは反対側に平行に延出する２本の振動腕からなることを特徴とする請求項１記載の屈曲振動片。
【請求項３】
前記支持部から両側に１本ずつ互いに逆向きに延出する２本の連結腕を更に備え、前記検出用振動腕が、前記支持部から前記連結腕の延出方向の直交方向に１本ずつ互いに逆向きに延出する２本の振動腕からなり、前記駆動用振動腕が、前記連結腕の先端部からそれぞれ該連結腕の延出方向の直交方向に１本ずつ互いに逆向きに延出する４本２対の振動腕からなることを特徴とする請求項１記載の屈曲振動片。
【請求項４】
前記凹部が、前記幅方向において部分的に重複していることを特徴とする請求項１乃至３のいずれか一項に記載の屈曲振動片。
【請求項５】
前記凹部が前記支持部を厚さ方向に貫通していることを特徴とする請求項１乃至４のいずれか一項に記載の屈曲振動片。
【請求項６】
前記凹部が前記支持部を厚さ方向に貫通していないことを特徴とする請求項１乃至４のいずれか一項に記載の屈曲振動片。
【請求項７】
前記孔部が前記支持部を厚さ方向に貫通していることを特徴とする請求項１乃至６のいずれか一項に記載の屈曲振動片。
【請求項８】
前記孔部が前記支持部を厚さ方向に貫通していないことを特徴とする請求項１乃至６のいずれか一項に記載の屈曲振動片。
【請求項９】
前記支持部の前記孔部が前記凹部よりも前記駆動用振動腕側に配置されていることを特徴とする請求項１乃至８のいずれか一項に記載の屈曲振動片。
【請求項１０】
前記支持部の前記孔部が前記凹部よりも前記検出用振動腕側に配置されていることを特徴とする請求項１乃至８のいずれか一項に記載の屈曲振動片。
【請求項１１】
請求項１乃至１０のいずれか一項に記載の屈曲振動片を備えることを特徴とする電子機器。
【発明の詳細な説明】
【技術分野】
【０００１】
本発明は、屈曲振動片及び屈曲振動片を用いた様々な電子機器に関する。
【背景技術】
【０００２】
従来、デジタルスチールカメラ、ビデオカメラ、ナビゲーション装置、車体姿勢検出装置、ポインティングデバイス、ゲームコントローラー、携帯電話、ヘッドマウントディスプレイ等の各種電子機器には、角速度、角加速度、加速度、力等の物理量を検出するセンサーとして、屈曲振動片を用いた圧電振動ジャイロが広く使用されている。圧電振動ジャイロ用の屈曲振動片には、様々な構造のものが開発・提案されている。例えば、被駆動対と検知対である２対の叉状部材をベースによって連結した、角速度センサー用の両側音叉型屈曲振動片が知られている（例えば、特許文献１を参照）。
【０００３】
また、１対の駆動用励振枝と１対の検出用ピックアップ枝とをフレームの一方の側とその反対側とに結合し、該フレームをその内側に開口を隔てて配置された取付基部にサスペンション装置を介して結合した両側音叉型の回転速度センサーが知られている（例えば、特許文献２を参照）。コリオリの加速度を受けた励振枝の振動は、フレームの時間変化の捻れを生じかつこれが伝達されてピックアップ枝を振動させる。取付基部は、接着剤等でハウジングの取付構造体に固定されるが、フレームとの間のサスペンション装置が、屈曲振動片の圧電材料の熱膨張率とハウジングの材料の熱膨張率との不適合が音叉の振動に及ぼす影響を最小にする。
【０００４】
かかる両側音叉型屈曲振動片は、小型化した場合に振動腕の質量が小さくなるため、発生するコリオリ力が減少して、角速度センサーの感度が低下する虞がある。そこで、振動腕の支持部側の端に溝を設けてその剛性を低下させ、駆動モードにおける駆動用振動腕のモーメントを増大させてコリオリ力を大きくすることにより、又は、駆動用振動腕と検出用振動腕とを連結する支持部に穴を設けてその剛性を低下させ、駆動用振動腕の振動を検出用振動腕に効率よく伝播させることにより、角速度センサーの高感度化を図ることが知られている（例えば、特許文献３を参照）。
【０００５】
両側音叉型以外の圧電振動ジャイロ用の屈曲振動片として、所謂ダブルＴ字型の構造が知られている（例えば、特許文献４を参照）。この屈曲振動片は、中央の支持部から逆方向に延出する１対の検出用振動腕からなる検出振動系に関して、それぞれ逆向きに延長する１対の駆動用振動腕を有する略Ｔ字型の２つの駆動振動系を左右対称に配置した構造を有する。
【先行技術文献】
【特許文献】
【０００６】
【特許文献１】特開昭６４−３１０１５号公報
【特許文献２】特開平７−５５４７９号公報
【特許文献３】特開２００４−２５１６６３号公報
【特許文献４】特開２００３−１６６８２８号公報
【発明の概要】
【発明が解決しようとする課題】
【０００７】
図９は、従来の両音叉型屈曲振動片の典型例を概略的に示している。同図において、屈曲振動片１は、中央の支持部２から一方の側に平行に延出する１対の駆動用振動腕３と、それとは反対側に平行に延出する１対の検出用振動腕４とを有する。支持部２には、駆動用振動腕３の駆動電極（図示せず）から引き出した駆動用電極パッド５が、前記各駆動用振動腕の基端近くに１つずつ配置されている。更に前記支持部には、検出用振動腕４の検出電極（図示せず）から引き出した検出用電極パッド６が、前記各検出用振動腕の基端近くに２つずつ配置されている。
【０００８】
駆動用振動腕３は、前記駆動電極に所定の交流電圧を印加すると、その主面と同じＸＹ面内で互いに逆向きに屈曲振動する。この駆動モードの状態で屈曲振動片１が長手方向のＹ軸周りに回転すると、その角速度に応じたコリオリ力が働き、駆動用振動腕３は主面に垂直なＺ軸方向に互いに逆向きに屈曲振動し、これに共振して検出用振動腕４は同じくＺ軸方向に互いに逆向きに屈曲振動する。このとき検出用振動腕４の前記検出電極間に発生する電位差を検出用電極パッド６から取り出すことによって、屈曲振動片１の前記回転及びその角速度等が求められる。
【０００９】
図１０は、図９の両音叉型屈曲振動片の変形例を概略的に示している。同図の屈曲振動片１´は、上記特許文献２，３記載のように、支持部２の略中央に矩形の貫通孔７が形成されている。これにより、検出モードにおいて駆動用振動腕３の面外振動が効率良く伝搬して検出用振動腕４を振動させるので、センサーの検出感度が向上する。
【００１０】
駆動用振動腕３が面内振動する駆動モードの状態では、検出用電極パッド６から出力される検出信号は０のはずであり、またそうであることが望ましい。ところが、図９及び図１０のいずれの場合も、屈曲振動片１を小型化すると、該屈曲振動片がＹ軸周りに回転していないにも拘わらず、検出用電極パッド６からエラー信号が出力される場合があることが分かった。かかる駆動モードにおけるエラー検出信号の出力は、角速度センサーの検出感度及び精度を劣化させる虞がある。
【００１１】
特に屈曲振動片を小型化すると、それに対応して支持部も小型化するが、その表面に形成される電極パッドには、外部配線との接続上或る程度の面積が必要である。そのため、支持部の平面寸法が小さくなるほど、駆動用電極パッドと検出用電極パッド間の距離が小さくなり、それらの間に大きな静電結合容量が発生する。しかも、駆動モードで駆動用振動腕に印加される駆動電流は、検出モードで検出用電極パッドから出力される検出電流よりも桁違いで大きい。この大きな静電結合容量がエラー検出信号発生の１つの原因と考えられる。
【００１２】
また、支持部は、小型化によって剛性も小さくなるので、駆動モードにおける駆動用振動腕の振動が検出用振動腕に伝わり易くなる。かかる駆動用振動腕からの機械的な振動漏れが、検出用振動腕を不必要に振動させたことも、エラー検出信号発生の別の原因と考えられる。
【００１３】
そこで本発明は、上述した従来の問題点に鑑みてなされたものであり、その目的は、小型化しても、駆動モードにおけるエラー検出信号の発生を有効に抑制し得る、圧電振動ジャイロ等の高感度・高精度なセンサー素子に適した屈曲振動片を提供することにある。
【課題を解決するための手段】
【００１４】
本発明の屈曲振動片は、上記目的を達成するために、少なくとも１対の駆動用振動腕と、１対の検出用振動腕と、駆動用振動腕及び検出用振動腕を支持するための支持部と、駆動用振動腕に配置されている駆動電極と、検出用振動腕に配置されている検出電極と、駆動電極に接続されている支持部上の駆動用電極パッドと、検出電極に接続されている支持部上の検出用電極パッドとを備え、
支持部が幅方向の少なくとも一方の側部に凹部を有し、駆動用電極パッドが凹部よりも駆動用振動腕側に配置され、かつ、検出用電極パッドが凹部よりも検出用振動腕側に配置されていることを特徴とする。
また、本発明の屈曲振動片は、駆動用振動腕と、検出用振動腕と、前記駆動用振動腕及び前記検出用振動腕を支持しており、両側部から幅方向に沿って延びている２つの凹部と、孔部とを有している支持部と、前記支持部に設けられている駆動用電極パッドと、前記支持部に設けられ、前記駆動用検出パッドよりも前記検出用振動腕側に配置されている検出用電極パッドと、を備え、前記凹部及び前記孔部の少なくとも一部が、前記駆動用検出パッドと検出用電極パッドとの間に設けられており、前記幅方向において、前記凹部がそれぞれ前記孔部と部分的に重複していることを特徴とする。
【００１５】
このように支持部の幅方向の側部に設けた凹部によって、駆動用振動腕から検出用振動腕へ、及び駆動用電極パッドから検出用電極パッドへ直線的に到達し得る支持部の部分が制限されるので、駆動モードにおいて駆動用電極パッドと検出用電極パッド間に発生する静電結合容量が小さくなる。また、駆動用振動腕から検出用振動腕に伝搬する振動漏れが少なくなる。従って、かかる比較的簡単な構成によって、支持部が小型化しても、駆動モードにおける静電結合容量の発生及び駆動用振動腕からの振動漏れによるエラー検出信号の発生を有効に抑制することができる。
【００１６】
或る実施例では、前記１対の検出用振動腕が、支持部から平行に延出する２本の振動腕からなり、前記少なくとも１対の駆動用振動腕が、支持部から検出用振動腕とは反対側に平行に延出する２本の振動腕からなる両側音叉型の屈曲振動片を実現することができる。
【００１７】
別の実施例では、支持部から両側に１本ずつ互いに逆向きに延出する２本１対の連結腕を更に備え、前記１対の検出用振動腕が、支持部から連結腕の延長方向の直交方向両側に１本ずつ互いに逆向きに延出する２本の振動腕からなり、前記少なくとも１対の駆動用振動腕が、各連結腕の先端部からそれぞれ該連結腕の延長方向の直交方向両側に１本ずつ互いに逆向きに延出する４本２対の振動腕からなる所謂ダブルＴ字型の屈曲振動片を実現することができる。
【００１８】
或る実施例では、凹部が支持部の幅方向の両側部に設けられていることにより、駆動モードにおいて駆動用電極パッドと検出用電極パッド間に発生する静電結合容量及び駆動用振動腕からの振動漏れによるエラー検出信号の発生を、左右バランス良く抑制することができる。
【００１９】
別の実施例では、支持部の幅方向両側部の凹部が、その幅方向において重複するように設けられていることにより、駆動用振動腕から検出用振動腕へ、及び駆動用電極パッドから検出用電極パッドへ直線的に到達し得る支持部の部分が無くなり又は大幅に制限されるので、駆動モードにおいて静電結合容量の発生及び駆動用振動腕からの振動漏れによるエラー検出信号の発生をより有効に抑制することができる。
【００２０】
また別の実施例では、支持部の側部の凹部が該支持部を厚さ方向に貫通するように形成されていることにより、駆動モードにおいて静電結合容量の発生及び駆動用振動腕からの振動漏れによるエラー検出信号の発生をより確実に抑制することができる。
【００２１】
更に別の実施例によれば、支持部の側部の凹部が該支持部を厚さ方向に貫通しないように形成されていることにより、支持部の剛性を大きく低下させることなく、駆動モードにおける静電結合容量の発生及び駆動用振動腕からの振動漏れによるエラー検出信号の発生を抑制することができる。
【００２２】
或る実施例では、支持部がその平面部に形成した孔部を更に有することにより、その幅方向両側部に凹部のみを設ける場合よりも、駆動用振動腕から検出用振動腕へ、及び駆動用電極パッドから検出用電極パッドへ直線的に到達し得る支持部の部分を制限できるので、駆動モードにおける静電結合容量の発生及び駆動用振動腕からの振動漏れによるエラー検出信号の発生を抑制することができる。
【００２３】
或る実施例では、支持部の平面部の孔部を側部の凹部よりも駆動用振動腕側に配置することができる。別の実施例では、支持部の平面部の孔部を側部の凹部よりも検出用振動腕側に配置することができる。このように側部の凹部と平面部の孔部とは、屈曲振動片の設計条件や駆動用及び検出用電極パッドの配置等に応じて、エラー検出信号の発生を最適に抑制できるように配設することができる。
【００２４】
或る実施例によれば、支持部の平面部の孔部が支持部を厚さ方向に貫通するように形成されていることにより、駆動モードにおける静電結合容量の発生及び駆動用振動腕からの振動漏れによるエラー検出信号の発生をより確実に抑制することができる。
【００２５】
別の実施例によれば、支持部の平面部の孔部が該支持部を厚さ方向に貫通しないように形成されていることにより、支持部の剛性を大きく低下させることなく、駆動モードにおける静電結合容量の発生及び駆動用振動腕からの振動漏れによるエラー検出信号の発生を抑制することができる。
【００２６】
本発明の別の側面によれば、上述した本発明の屈曲振動片を備えることによって、高感度・高精度なセンサー性能を備えかつ小型化可能な電子機器を提供することができる。
【図面の簡単な説明】
【００２７】
【図１】本発明の第１実施例の屈曲振動片を示す概略平面図。
【図２】第２実施例の変形例を示す概略平面図。
【図３】第３実施例の別の変形例を示す概略平面図。
【図４】第１〜第３実施例の駆動モードでのエラー検出電流の大きさを従来例と比較して示す線図。
【図５】凹部の変形例を示す支持部の部分拡大平面図。
【図６】凹部の別の変形例を示す支持部の部分拡大平面図。
【図７】第１実施例の屈曲振動片を実装した角速度センサーの概略断面図。
【図８】本発明の第４実施例の屈曲振動片を示す概略平面図。
【図９】第１実施例に対応する従来の屈曲振動片を示す概略平面図。
【図１０】別の従来の屈曲振動片を示す概略平面図。
【発明を実施するための形態】
【００２８】
以下に、添付図面を参照しつつ、本発明の好適な実施例を詳細に説明する。尚、添付図面において、同一又は類似の構成要素には同一又は類似の参照符号を付して示す。
【００２９】
図１は、本発明の第１実施例の両側音叉型屈曲振動片１１を概略的に示している。屈曲振動片１１は、中央の概ね矩形の支持部１２と、該支持部に支持される１対の駆動用振動腕１３と１対の検出用振動腕１４とを有する。支持部１２から一方の側に駆動用振動腕１３が平行に延出し、それとは反対側に検出用振動腕１４が平行に延出している。駆動用振動腕１３には、駆動モードにおいて該駆動用振動腕をその主面と同じＸＹ面内で互いに接近離反する向きに屈曲振動させるために、駆動電極（図示せず）が形成されている。検出用振動腕１４には、検出モードにおいて該検出用振動腕がその主面に垂直なＺ軸方向に互いに逆向きに屈曲振動する際に発生する電位差を検出するために、検出電極（図示せず）が形成されている。
【００３０】
支持部１２には、その幅方向の両側部に凹部１５ａ，１５ｂが設けられている。凹部１５ａ，１５ｂは、前記支持部の各側部から幅方向に延長しかつ該支持部を厚さ方向に貫通する細長い溝状に左右対称に形成され、検出用振動腕１４寄りに配置されている。更に前記支持部には、その平面部の略中央に貫通孔１６が設けられている。貫通孔１６は、前記支持部の幅方向に細長い矩形に形成され、凹部１５ａ，１５ｂよりも前記駆動用振動腕側に配置されている。凹部１５ａ，１５ｂ及び貫通孔１６は、互いに前記支持部の幅方向に部分的に重複するように寸法が設定されかつ配置されている。
【００３１】
支持部１２の表面には、駆動用振動腕１３の前記駆動電極から引き出した２つの駆動用電極パッド１７が、貫通孔１６よりも前記駆動用振動腕側に、それぞれの基端近くに１つずつ配置されている。更に前記支持部の表面には、検出用振動腕１４の前記検出電極から引き出した４つの検出用電極パッド１８が、凹部１５ａ，１５ｂよりも前記検出用振動腕側に、それぞれの基端近くに２つずつ配置されている。駆動用電極パッド１７と検出用電極パッド１８とは、前記支持部上で凹部１５ａ，１５ｂと貫通孔１６とにより長手方向に隔てられている。
【００３２】
駆動モードにおいて、駆動用電極パッド１７から前記駆動電極に所定の交流電圧を印加すると、駆動用振動腕１３は、その主面と同じＸＹ面内で互いに逆向きに屈曲振動する。この状態で屈曲振動片１１が長手方向のＹ軸周りに回転すると、その角速度に応じて発生するコリオリ力の作用により、駆動用振動腕１３は前記主面に垂直なＺ軸方向に互いに逆向きに屈曲振動する。これに共振して、検出用振動腕１４は同じくＺ軸方向に互いに逆向きに屈曲振動し、前記検出電極間に発生する電位差を検出用電極パッド１７から取り出すことによって、屈曲振動片１１の前記回転及びその角速度等が求められる。
【００３３】
上述したように駆動用電極パッド１７と検出用電極パッド１８とは、支持部１２上で前記凹部と貫通孔とにより長手方向に隔てられている。これにより、支持部１２を小型化しても、前記駆動用電極パッドと検出用電極パッド間に発生する静電結合容量を有効に小さく抑制することができる。
【００３４】
また、駆動モードにおいて駆動用振動腕１３の面内振動から生じる振動漏れは、支持部１２の中央領域を伝搬する成分が貫通孔１６により遮断され、貫通孔１６の左右両側を伝搬する成分が両凹部１５ａ，１５ｂに遮られて左右方向から内側に回り込む際に相殺されることによって緩和される。従って、支持部１２の小型化によりその剛性が小さくなっても、駆動モードにおける駆動用振動腕１３からの振動漏れによるエラー検出信号の発生を有効に抑制することができる。
【００３５】
特に本実施例では、凹部１５ａ，１５ｂ及び貫通孔１６を前記支持部の幅方向に部分的に重複するように設けたことによって、支持部１２には、駆動用振動腕１３から検出用振動腕１４へ、及び駆動用電極パッド１７から検出用電極パッド１８へ直線的に到達し得る部分が無い。これによって、上述した静電結合容量及び振動漏れによるエラー検出信号の発生がより効果的に抑制される。
【００３６】
図２は、本発明の第２実施例の両側音叉型屈曲振動片２１を概略的に示している。本実施例の屈曲振動片２１は、その支持部２２が第１実施例の支持部１２から貫通孔１６を省略した点において、第１実施例と異なる。従って、支持部２２は、第１実施例よりも構成及び加工が簡単で、高い剛性を有する。
【００３７】
駆動用電極パッド１７と検出用電極パッド１８とは、支持部２２上で長手方向に凹部１５ａ，１５ｂにより隔てられている。これにより、支持部１２を小型化しても、前記駆動用電極パッドと検出用電極パッド間に発生する静電結合容量を有効に小さく抑制することができる。
【００３８】
また、駆動モードにおいて駆動用振動腕１３の面内振動から生じる振動漏れは、両凹部１５ａ，１５ｂに遮られて左右方向から内側に回り込む際に相殺されることによって緩和される。支持部１２の中央領域を伝搬する成分は、そのまま検出用振動腕１４側に伝搬するが、駆動モードにおける駆動用振動腕からの振動漏れによるエラー検出信号の発生を従来より抑制することができる。
【００３９】
特に本実施例では、凹部１５ａ，１５ｂが、長手方向に見てその背後に検出用電極パッド１８及び検出用振動腕１４が位置するように設けられている。これにより、支持部１２は、駆動用振動腕１３から検出用振動腕１４へ、及び駆動用電極パッド１７から検出用電極パッド１８へ直線的に到達し得る部分が大幅に制限されている。従って、上述した静電結合容量及び振動漏れによるエラー検出信号の発生がより効果的に抑制される。
【００４０】
図３は、本発明の第３実施例の両側音叉型屈曲振動片３１を概略的に示している。本実施例の屈曲振動片３１は、その支持部３２において、第１実施例の凹部１５ａ，１５ｂに対応する凹部３３ａ，３３ｂが駆動用振動腕１３側に配置され、第１実施例の貫通孔１６に対応する貫通孔３４が検出用振動腕１４寄りに配置されている。凹部３３ａ，３３ｂ及び貫通孔３４は、互いに前記支持部の幅方向に部分的に重複するように寸法が設定されかつ配置されている。
【００４１】
このように駆動用電極パッド１７と検出用電極パッド１８とは、第１実施例と同様に、前記支持部上で凹部３３ａ，３３ｂと貫通孔３４とにより長手方向に隔てられている。これにより、支持部１２を小型化しても、前記駆動用電極パッドと検出用電極パッド間に発生する静電結合容量を有効に小さく抑制することができる。
【００４２】
また、駆動モードにおいて駆動用振動腕１３の面内振動から生じる振動漏れは、両凹部３３ａ，３３ｂに遮られて左右方向から内側に回り込む際に相殺され、その後支持部３２の中央領域から貫通孔３４により遮断されてその左右両側を回るように伝搬することによって緩和される。これにより、駆動モードにおける駆動用振動腕からの振動漏れによるエラー検出信号の発生を従来より抑制することができる。
【００４３】
特に本実施例では、凹部３３ａ，３３ｂ及び貫通孔３４を前記支持部の幅方向に部分的に重複するように設けたことによって、支持部３２には、駆動用振動腕１３から検出用振動腕１４へ、及び駆動用電極パッド１７から検出用電極パッド１８へ直線的に到達し得る部分が無い。これによって、上述した静電結合容量及び振動漏れによるエラー検出信号の発生がより効果的に抑制される。
【００４４】
第１〜第３実施例の両側音叉型屈曲振動片１１〜３１について、駆動用振動腕１３が面内振動している駆動モードで前記屈曲振動片がＹ軸周りに回転していないときに、検出用電極パッド１８から出力されるエラーの検出電流をシミュレーションした。比較のため、図９及び図１０の従来例について、同様に駆動モードで屈曲振動片１，１´がＹ軸周りに回転していないときに、検出用電極パッド６から出力されるエラーの検出電流をシミュレーションした。
【００４５】
図４は、第１〜第３実施例における上記シミュレーションの結果を従来例と比較して示している。同図において、縦軸は、エラー検出信号として、駆動用電極パッド１７に印加される駆動電流に対して検出用電極パッド１８から出力される検出電流の割合をｐｐｍ換算して表している。Ｓ１は一方の検出用振動腕からのエラー検出信号の大きさを、Ｓ２は他方の検出用振動腕からのエラー検出信号の大きさをそれぞれ表している。
【００４６】
同図に示すように、エラー検出信号は第１実施例が最も小さい。第２，第３実施例のエラー検出信号は第１実施例よりも大きいが、実用上十分に小さい値を示している。また、第１実施例のエラー検出信号がＳ１、Ｓ２共に負値であったのに対し、第２，第３実施例のエラー検出信号はＳ１、Ｓ２共に正値を示した。いずれの場合も、Ｓ１とＳ２とが概ね同じ値を示した。
【００４７】
これに対し、従来例のエラー検出信号は、いずれの場合も本発明の各実施例より２．５倍以上大きい値を示した。また、従来例では、いずれの場合も一方のエラー検出信号（Ｓ１）が負値で、他方のエラー検出信号（Ｓ２）が正値であり、その絶対値は一方（Ｓ１）が他方（Ｓ２）より大きく表れた。このシミュレーション結果から、本発明によれば、駆動モードにおけるエラー検出信号の発生を非常に有効に抑制し得ることが分かる。
【００４８】
前記支持部の凹部は、長手方向の中心に関して左右非対称に設けることもできる。図５は、そのような変形例の支持部の要部を概略的に示している。本実施例の支持部４１は、上記各実施例よりも長い溝状の２つの凹部４２ａ，４２ｂが、該支持部の各側部から１つずつ長手方向に互い違いに、かつ幅方向に互いに重複するように形成されている。これにより、支持部４１には駆動用振動腕１３側から検出用振動腕１４側へ直線的に到達し得る部分が無く、駆動用電極パッドと検出用電極パッドとが長手方向に隔てられる。
【００４９】
図６は、凹部を左右非対称に設けた別の変形例の支持部の要部を概略的に示している。本実施例の支持部４３は、第１〜第３実施例よりも長い溝状の３つの凹部４４ａ〜４４ｃが、該支持部の各側部から１つずつ長手方向に互い違いに、かつ幅方向に互いに重複するように形成されている。これにより、駆動用電極パッドと検出用電極パッドとは、支持部４３上で長手方向により確実に隔てられる。また、別の実施例では、前記支持部の側部に４つ以上の凹部を設けることもでき、それらの寸法も様々に変化させることができる。
【００５０】
図７は、第１実施例の両側音叉型屈曲振動片１１を搭載した角速度センサー５１を概略的に示している。角速度センサー５１は、パッケージ５２の内部に圧電振動ジャイロ素子として屈曲振動片１１と、これを駆動制御するＩＣチップ５３とを備える。パッケージ５２は、矩形箱型のべース５４と、その上端に気密に接合された金属製のリッド５５とを有する。ＩＣチップ５３は、べース５４内に画定される空所の底部に固定される。
【００５１】
屈曲振動片１１は、ＩＣチップ５３の上方に水平に配置したポリイミド樹脂基板５６の上方に金属タブテープ５７で水平に固定支持されている。屈曲振動片１１は、支持部１２の電極パッド１７，１８にバンプが設けられ、前記電極パッドの形成面を下側にして配置する。タブテープ５７は、図示するようにポリイミド樹脂基板５６から折曲されて斜め上方へ延長し、その先端に前記バンプを溶着させて前記支持部の各電極パッド１７，１８と電気的に接続される。
【００５２】
前記ポリイミド樹脂基板は、パッケージ５２の内部配線を介してＩＣチップ５３及びパッケージ外面の外部電極と接続されている。この外部電極を介して接続された外部回路及び電源から一定の駆動電圧を印加することによって、屈曲振動片１１は所定の周波数で正確に振動する。
【００５３】
別の実施例において、屈曲振動片１１は、支持部１２の下面をＩＣチップ５３の上面に直接、例えば絶縁性を有するエボキシ系樹脂接着剤で接着することにより固定することができる。
【００５４】
本発明は、両側音叉型以外の屈曲振動片にも適用することができる。図８は、上述したダブルＴ字型の構造を有する本発明の第４実施例の屈曲振動片を概略的に示している。屈曲振動片６１は、中央の支持部６２と、該支持部に支持される１対の検出用振動腕６３と１対の連結腕６４ａ，６４ｂと左右各１対の駆動用振動腕６６ａ，６６ｂとを有する。検出用振動腕６３は、支持部６２から図中上下両側へ延出している。駆動用振動腕６６ａ，６６ｂは、前記支持部から前記検出用振動腕と直交する向きに図中左右両側へ延出する各連結腕６４ａ，６４ｂの先端部を基部６５ａ，６５ｂとして、それから前記検出用振動腕と平行に図中上下両側へ延出している。前記各検出用振動腕にはその表面に検出電極（図示せず）が、前記各駆動用振動腕にはその表面に駆動電極（図示せず）がそれぞれ設けられている。
【００５５】
支持部６２の左右両側部には、各検出用振動腕６３と左右両側の連結腕６４ａ，６４ｂとの間にそれぞれ凹部６７ａ，６７ｂが左右対称に設けられている。凹部６７ａ，６７ｂは、前記支持部の各側部から幅方向に延長しかつ該支持部を厚さ方向に貫通する細長い溝状に左右対称に形成され、前記連結腕寄りに配置されている。更に前記支持部の平面部には、各検出用振動腕６３とそれに近い方の凹部６７ａ，６７ｂとの間略中央に、それぞれ左右方向に細長い矩形の貫通孔６８が設けられている。凹部６７ａ，６７ｂ及び貫通孔６８は、互いに前記支持部の幅方向に部分的に重複するように寸法が設定されかつ配置されている。
【００５６】
支持部１２の表面には、左右各対の駆動用振動腕６６ａ，６６ｂの前記駆動電極からそれぞれ引き出した２つの駆動用電極パッド６９が、前記各連結腕の基端近くに１つずつ配置されている。更に前記支持部の表面には、検出用振動腕６３の前記検出電極から引き出した４つの検出用電極パッド７０が、前記各検出用振動腕の基端近くに２つずつ配置されている。駆動用電極パッド６９と検出用電極パッド７０とは、前記支持部上で凹部６７ａ，６７ｂと貫通孔６８とにより上下方向に隔てられている。
【００５７】
駆動モードにおいて、駆動用電極パッド６９から前記駆動電極に所定の交流電圧を印加すると、駆動用振動腕６６ａ，６６ｂは、その主面と同じＸＹ面内で矢印Ａで示すように屈曲振動する。この状態で屈曲振動片６１がＸＹ平面内でＺ軸周りに回転すると、前記駆動用振動腕の長手方向に沿ってコリオリ力が交互に逆向きに発生し、その作用によって連結腕６４ａ，６４ｂが同じくＸＹ平面内で矢印Ｂで示すように屈曲振動する。これが支持部６２を介して伝達され、検出用振動腕６３を同じくＸＹ平面内で矢印Ｃで示すように屈曲振動させる。この検出用振動腕の屈曲振動により前記検出電極間に発生する電位差を検出用電極パッド７０から取り出すことによって、屈曲振動片６１のＺ軸周りの前記回転及びその角速度等が求められる。
【００５８】
本実施例でも、上述したように駆動用電極パッド６９と検出用電極パッド７０とが、支持部６２上で凹部６７ａ，６７ｂと貫通孔６８とにより上下方向に隔てられている。これにより、支持部６２を小型化しても、前記駆動用電極パッドと検出用電極パッド間に発生する静電結合容量を有効に小さく抑制することができる。
【００５９】
また、駆動モードにおいて駆動用振動腕６６ａ，６６ｂの面内振動から生じる振動漏れは、左右両凹部６７ａ，６７ｂに遮られて左右方向から内側に回り込む際に相殺され、その後支持部６２の中央領域を通過する成分が貫通孔６８により遮断され、その左右両側を回るように伝搬することによって緩和される。これにより、駆動モードにおける前記駆動用振動腕からの振動漏れによるエラー検出信号の発生を抑制することができる。
【００６０】
本実施例においても、凹部６７ａ，６７ｂ及び貫通孔６８を前記支持部の幅方向に部分的に重複するように設けたことによって、支持部６２には、駆動用振動腕６６ａ，６６ｂから連結腕６４ａ，６４ｂを介して検出用振動腕６３へ、及び駆動用電極パッド６９から検出用電極パッド７０へ直線的に到達し得る部分が無い。これによって、上述した静電結合容量及び振動漏れによるエラー検出信号の発生がより効果的に抑制される。
【００６１】
別の実施例では、支持部の側部に設けられる凹部をその厚さ方向に貫通しない有底状に形成することができる。また、支持部の平面部に設けられる貫通孔も、有底孔に変更することができる。これにより、支持部の剛性を大きく低下させることなく、駆動モードにおける静電結合容量の発生及び駆動用振動腕からの振動漏れによるエラー検出信号の発生を抑制することができる。
【００６２】
また、別の実施例では、支持部の側部に設けられる凹部と平面部に設けられる貫通孔又は有底孔とを、支持部の幅方向に重複しないような寸法に設定することができる。更に、前記凹部及び貫通孔又は有底孔は、上記各実施例以外の様々な形状に形成することができる。
【００６３】
本発明は、上記実施例に限定されるものでなく、その技術的範囲内で様々な変形又は変更を加えて実施することができる。例えば、本発明の屈曲振動片は、角速度以外に、角加速度、加速度、力等の物理量を検出するためのセンサー素子に適用することができる。また、本発明の屈曲振動片は、水晶以外に、タンタル酸リチウム、ニオブ酸リチウム等の圧電単結晶や、ジルコン酸チタン酸鉛等の圧電セラミックス等の圧電材料、又はシリコン半導体材料から形成することができる。更に本発明の屈曲振動片は、これをセンサー素子として搭載することにより、デジタルスチールカメラ、ビデオカメラ、ナビゲーション装置、車体姿勢検出装置、ポインティングデバイス、ゲームコントローラー、携帯電話、ヘッドマウントディスプレイ等の電子機器に広く適用することができる。
【符号の説明】
【００６４】
１，１´，１１，２１，３１，６１…屈曲振動片、２，１２，２２，３２，４１，４３，６２…支持部、３，１３，６６ａ，６６ｂ…駆動用振動腕、４，１４，６３…検出用振動腕、５，１５，６９…駆動用電極パッド、６，１６，７０…検出用電極パッド、７，１８，６８…貫通孔、１７ａ，１７ｂ，６７ａ，６７ｂ…凹部、５１…角速度センサー、５２…パッケージ、５３…ＩＣチップ、５４…べース、５５…リッド、５６…ポリイミド樹脂基板、５７…タブテープ、６４ａ，６４ｂ…連結腕、６５ａ，６５ｂ…基部。
【図１】
0005772286.tif 000002
【図２】
0005772286.tif 000003
【図３】
0005772286.tif 000004
【図４】
0005772286.tif 000005
【図５】
0005772286.tif 000006
【図６】
0005772286.tif 000007
【図７】
0005772286.tif 000008
【図８】
0005772286.tif 000009
【図９】
0005772286.tif 000010
【図１０】
0005772286.tif 000011